(57)【要約】【課題】魚道勾配を急勾配にでき、水量の変化にも対応し、魚の遡上・生息に最適で周囲の景観になじみ、自然環境と調和させることを実現する。【解決手段】  上流側から下流側に向かって配置される魚道用ブロックにおいて、底版部は所定勾配に形成し、上流側先端部にプール前壁を設けると共に、該プール前壁の後方には、魚類が休息可能な凹状のプール部を介してプール後壁を設け、該プール後壁の後方に流水調整材が載置される植石部を介して後端壁を設け、該後端壁上端部には越流部を形成し、該後端壁下部に前記プール前壁が密に組み付き可能な切欠部を設け、前記プール後壁はプール前壁より高く形成した。【選択図】図１
2006063656.tif 000002
【特許請求の範囲】
【請求項１】
上流側から下流側に向かって配置される魚道用ブロックにおいて、底版部は所定勾配に形成し、上流側先端部にプール前壁を設けると共に、該プール前壁の後方には、魚類が休息可能な凹状のプール部を介してプール後壁を設け、該プール後壁の後方に流水調整材が載置される植石部を介して後端壁を設け、該後端壁上端部には越流部を形成し、該後端壁下部に前記プール前壁が密に組み付き可能な切欠部を設け、前記プール後壁はプール前壁より高く形成したことを特徴とする第1魚道用ブロック。
【請求項２】
上流側から下流側に向かって配置される魚道用ブロックにおいて、底版部は所定勾配に形成し、上流側先端部にプール前壁を設けると共に、該プール前壁の後方には、魚類が休息可能な凹状のプール部を介してプール後壁を設け、該プール後壁の後方に流水調整材が載置される植石部を介して後端壁を設け、該後端壁上端部には越流部を形成し、該後端壁下部に前記プール前壁が密に組み付き可能な切欠部を設け、前記プール後壁及び後端壁は、プール前壁よりやや低く形成した事を特徴とする第２魚道ブロック。
【請求項３】
上流側から下流側に向かって配置される魚道用ブロックにおいて、底版部は所定勾配に形成し、上流側先端部にプール前壁を設けると共に、該プール前壁の後方には、魚類が休息可能な凹状のプール部を介してプール後壁を設け、該プール後壁の後方に流水調整材が載置される植石部を介して後端壁を設け、該後端壁上端部には越流部を形成し、該後端壁下部に前記プール前壁が密に組み付き可能な切欠部を設け、前記後端壁及びプール後壁の川幅方向には第２魚道用ブロックに隣接する片側に傾斜面を形成したことを特徴とする第３魚道用ブロック。
【請求項４】
越流部は、表面形状を緩やかな曲面に形成したことを特徴とする請求項1又は２又は３に記載の魚道用ブロック。
【請求項５】
植石部における底部の深さは、同勾配で第２魚道用ブロックに隣接して河幅方向に横配置した際に、前記第２魚道用ブロックの後端壁の頂部からプール後壁の頂部とを結んだ高さとほぼ同一高さに形成したことを特徴とする請求項1又は２又は３に記載の魚道用ブロック。
【請求項６】
下流から上流に向かう河川の川床の上流から下流に向かって、上流側は切欠部に密に組み付き接合可能な前側凸部と、下流側はプール前壁の天端と面一の天端を有する後側凸部間に、中間プール部を設けた中間プールブロックを配置し、該中間プールブロック間の川床を所定勾配で基礎コンクリートを敷設した後、該基礎コンクリート上に、各列の請求項１記載の第1魚道用ブロック、請求項２記載の第２魚道用ブロック、請求項３記載の第３魚道用ブロックの各切欠部内にプール前壁を組み付けて階段式に施工することを特徴とする魚道施工工法。
【請求項７】
河幅方向においては、第２魚道用ブロックを配置し、該第２魚道用ブロックの両側に隣接して第３魚道用ブロックを配置し、該第３魚道用ブロックに隣接させて外側に第1魚道ブロックを配置して施工することを特徴とする請求項第６項に記載の魚道施工工法。
【発明の詳細な説明】
【技術分野】
【０００１】
本発明は、魚道勾配を急勾配にでき、水量の変化にも対応し、魚の遡上・生息に最適で周囲の景観になじみ、自然環境と調和する魚道ブロック及びこの魚道ブロックを使用した魚道施工工法に関するものである。
【背景技術】
【０００２】
従来の魚道は、特開平１１−２１８６４号公報がある（特許文献１参照）。これは、略直方体のブロック本体の表側中央部に水溜め用の凹部を設け、該凹部内にブロック本体の裏側に貫通する底部連通孔を設け、ブロック本体の下流側側端部の表側両側に凸部を設け、該凸部の間を越流部に設定し、ブロック本体の下流側側端部の裏側に下流側側端部を横断する切り欠き部を設け、該切り欠き部が虚を形成するように構成したものである。
【０００３】
【特許文献１】特開平１１−２１８６４号公報
【発明の開示】
【発明が解決しようとする課題】
【０００４】
山間部の渓流河川は川床勾配が急なため、河川の洗掘を防止して、川床の安定や縦断勾配の緩和などを目的とした堰や床固め工など数多くの河川横断構造物があり、魚類の遡上、降下の障害となっている。
このようなことから、魚の遡上を容易にする魚道構造、ブロックなどが考案されている。
特許文献１に記載の発明は、水の流れる部分が直線的になり、増水期には流速が速くなり、渇水期にはブロックの形状が同じなために魚の遡上に必要な水量の確保が困難となる。また、急勾配の場合には、十分なプール部を形成できないため、魚の遡上が困難となるという問題点がある。
さらに、魚道勾配は一般的に階段式の場合は１／１０、斜路式の場合は１／２０が必要とされている。そして、魚道勾配を急勾配とした場合には、魚が休憩するプール部が小さくなり、適切なプール部を設ける場合には、勾配を緩くしなければならないため魚道延長が長くなる。
従来の階段式魚道の場合、ブロック敷設面を階段状に仕上げる必要があり、施工性が悪いという問題点がある。
更に、工場で予めブロック表面に自然石や疑石を配置したブロックの場合は、石の配置は画一的になり、河川の状況に合わせて移動できない。また、河川の状況を想定して、これに合わせて石の配置をして製造するのは製造効率が悪く、予め工場生産するメリットを生かすことができない。
【０００５】
本発明は、魚道勾配を急勾配にでき、水量の変化にも対応し、魚の遡上・生息に最適で周囲の景観になじみ、自然環境と調和する魚道ブロック及びこの魚道用ブロックを使用した魚道施工工法を提供するものである。
【課題を解決するための手段】
【０００６】
本発明の、請求項１の発明に係る第1魚道用ブロックは、
上流側から下流側に向かって配置される魚道用ブロックにおいて、底版部は所定勾配に形成し、上流側先端部にプール前壁を設けると共に、該プール前壁の後方には、魚類が休息可能な凹状のプール部を介してプール後壁を設け、該プール後壁の後方に流水調整材が載置される植石部を介して後端壁を設け、該後端壁上端部には越流部を形成し、該後端壁下部に前記プール前壁が密に組み付き可能な切欠部を設け、前記プール後壁はプール前壁より高く形成したことを特徴としている。
【０００７】
請求項２の発明に係る第２魚道用ブロックは、
上流側から下流側に向かって配置される魚道用ブロックにおいて、底版部は所定勾配に形成し、上流側先端部にプール前壁を設けると共に、該プール前壁の後方には、魚類が休息可能な凹状のプール部を介してプール後壁を設け、該プール後壁の後方に流水調整材が載置される植石部を介して後端壁を設け、該後端壁上端部には越流部を形成し、該後端壁下部に前記プール前壁が密に組み付き可能な切欠部を設け、前記プール後壁及び後端壁は、プール前壁よりやや低く形成した事を特徴としている。
【０００８】
請求項３の発明に係る第３魚道用ブロックは、
上流側から下流側に向かって配置される魚道用ブロックにおいて、底版部は所定勾配に形成し、上流側先端部にプール前壁を設けると共に、該プール前壁の後方には、魚類が休息可能な凹状のプール部を介してプール後壁を設け、該プール後壁の後方に流水調整材が載置される植石部を介して後端壁を設け、該後端壁上端部には越流部を形成し、該後端壁下部に前記プール前壁が密に組み付き可能な切欠部を設け、前記後端壁及びプール後壁の川幅方向には第２魚道用ブロックに隣接する片側に傾斜面を形成したことを特徴としている。
【０００９】
請求項４の発明は、請求項1又は２又は３に記載の魚道用ブロックにおいて、
越流部は、表面形状を緩やかな曲面に形成したことを特徴としている。
【００１０】
請求項５の発明は、請求項1又は３の魚道用ブロックにおいて、
植石部における底部の深さは、同勾配で第２魚道用ブロックに隣接して河幅方向に横配置した際に、前記第２魚道用ブロックの後端壁の頂部からプール後壁の頂部とを結んだ高さとほぼ同一高さに形成したことを特徴としている。
【００１１】
本発明の、請求項６の発明に係る魚道施工工法は、
下流から上流に向かう河川の川床の上流から下流に向かって、上流側は切欠部に密に組み付き接合可能な前側凸部と、下流側はプール前壁の天端と面一の天端を有する後側凸部間に、中間プール部を設けた中間プールブロックを配置し、該中間プールブロック間の川床を所定勾配で基礎コンクリートを敷設した後、該基礎コンクリート上に、各列の請求項１項の第1魚道用ブロック、請求項２項の第２魚道用ブロック、請求項３項の第３魚道用ブロックの各切欠部内にプール前壁を組み付けて階段式に施工することを特徴としている。
【００１２】
本発明の、請求項７の発明に係る魚道施工工法は、
河幅方向においては、第２魚道用ブロックを配置し、該第２魚道用ブロックの両側に隣接して第３魚道用ブロックを配置し、該第３魚道用ブロックに隣接させて外側に第1魚道ブロックを配置して施工することを特徴としている。
【発明の効果】
【００１３】
本発明によれば、以下の効果を奏する。
請求項1の発明によれば、
(１)底版部は所定勾配を形成してあるため、急勾配で施工した場合でも、プール部が水平となるため、魚が休憩に必要なプール部の確保ができる。また、従来の魚道用ブロックは、適切なプール部を設けると勾配を緩くする必要があり、魚道延長が長くなるが、本発明の場合は適切なプール部を設けても魚道延長を短くできる。
(２)植石部には、直径５０ｃｍ程度の大きさまでの自然石を河川の状況にあわせて自由に設置できるため、より魚に適した多用な流れを作り出すことができる。
また、流水調整材例えば自然石により多様な流れをつくり、一般に中小型遊泳魚や底生魚等に適応させることができる。
(３)また、現場施工の場合においては、ブロック敷設面は階段状に仕上げる必要がなく、川床に基礎コンクリートを所定勾配（魚道勾配）に打設するだけで、この基礎コンクリート上に魚道ブロックを組積みすればよく、施工時間が短くでき、労力が軽減できる。
(４)更に、魚道用ブロックは工場で予め製造でき、魚道用ブロックを配置した後、植石部に流水調整材の例えば自然石を配置するだけでよいものである。
(５) 流水調整材の例えば自然石は流れの加速を抑制するように、中心線をずらしながら必要な位置に自由に設置できる。
(６)通常の水位の場合は、第1魚道ブロックは主に各段に魚の休息場所となるプール部か形成できる。他方、水量の多い場合には魚の遡上経路にできる。
(７)渇水期の場合は、第２魚道ブロックが主流を形成して魚の遡上経路となる。また、当該第２魚道用ブロックの後端壁は高さが低いため、土砂の溜まりにくい構造であり、河川の維持管理が容易になる。
(８)第1魚道用ブロックの植石部が第２魚道用ブロックの植石部より高くなっているため、河川の流量の変化に対応できる。
(９)河川幅や河川における流量の違いにより、主流を形成する第２魚道用ブロックの個数や位置を変えることにより最適な遡上経路を形成できる。
(１０)魚道ブロックの植石部には、流水調整材の例えば自然石が配置されるため、周囲の景観になじみ、自然環境と調和を図ることができる。
(１１)越流部の形状を緩やかな曲面と傾斜をもつ直線とで形成することにより、越流と後端壁との間に空洞部を作る剥離流が形成されるのを防止でき、魚の遡上を容易にできる。
【００１４】
請求項２の発明によれば、
(１)通常の水位の場合は、第1魚道ブロックは主に各段で魚の休息場所となるプール部を形成できる。また、水量の多い場合には魚の遡上経路にもなることができる。
(２)渇水期の場合は、第２魚道ブロックが主流を形成して魚の遡上経路となる。また、第２魚道ブロックの後端壁の高さは第1魚道用ブロックと第３魚道用ブロックの後端壁より低く形成されているため、流れてくる土砂は植石と植石の間から流下する。そのため土砂が溜まりにくい構造となり、河川の維持管理が容易に出来る。
【００１５】
請求項３の発明によれば、
(１)越流水深と流速が異なるようにできるため、魚はその種類に応じて適した流速箇所を選んで遡上できる。
(２)増水期に流れてくる土石がプール後壁、後端壁に衝突し、該プール後壁、後端壁の端部が破損するのを防止できる。
【００１６】
請求項４の発明によれば、
越流と隔壁との間に空洞部を作る剥離流ができるのを防止でき、魚の遡上を容易にできる。
【００１７】
請求項５の発明によれば、
(１)通常の水位の場合は、第1魚道ブロックは主に各段で、魚の休息場所となるプール部を形成できる。また、水量の多い場合には魚の遡上経路にもなることができる。
(２)渇水期の場合は、第２魚道ブロックが主流を形成して魚の遡上経路となる。また、第２魚道ブロックの後端壁の高さは第1魚道用ブロックと第３魚道用ブロックの後端壁より低く形成されているため、流れてくる土砂は流水調整材と流水調整材の間から流下する。そのため土砂が溜まりにくい構造となり、河川の維持管理が容易に出来る。
【００１８】
請求項６の発明によれば、
(１)第1魚道用ブロックと第２魚道用ブロックは高さが異なるため、河川の流量の変化に対応できる。
(２)河川幅や河川の流量の違いにより、主流を形成する第２魚道用ブロックの個数や位置を変えることで、最適な遡上経路を形成することができる。
(３)魚道勾配を大きくすることができ、魚道延長を短く施工できる。また、周囲の景観になじみ、自然環境と調和を図ることができる。
連続して敷設する場合は、４段程度毎に中間プールブロックを配置することにより、魚の遡上がさらに容易にできる。
【００１９】
請求項７の発明によれば、
第1魚道用ブロックは主に格段のプールとなり静穏域を形成し、また越流時は魚の遡上経路となる。第２魚道用ブロックは渇水期でも主流を形成して魚の遡上経路となるため、河川の流量の変化に対応できる。
【発明を実施するための最良の形態】
【００２０】
本発明を図1〜図１４により説明する。
本発明の、第一実施例の第1魚道ブロック２は図１〜３、第二実施例の第２魚道ブロック３は図４〜図６、第３実施例の第３魚道用ブロック３１は図７〜図８で説明し、この魚道用ブロックを使用した魚道施工工法は図９〜１３を参照して説明する。
第1魚道ブロック２は、上流側から下流側に向かって配置される魚道用ブロックにおいて、底版部４は所定勾配に形成されている。
また、上流側先端部にプール前壁５を設けると共に、該プール前壁５の後方には、魚類が休憩（収容）可能な凹状のプール部６を介してプール後壁７を設け、該プール後壁７の後方に流水調整材１２が載置される植石部８を介して後端壁９が設けられている。
さらに、該後端壁９上端部には魚の遡上の障害となる剥離流の発生を防止するために越流部１０を形成し、該後端壁９下部に前記プール前壁５が密に組み付き可能な切欠部１１が設けられている。
また、前記プール後壁７はプール前壁５より高く形成されている。
【００２１】
前記底版部４の勾配a（高さ）：b（長さ）は、1：5〜1：10の範囲に形成し、プール部６に魚が休憩するに必要なプール部６の面積を確保でき、しかも魚道延長を短くすることを可能にしている。
【００２２】
また、植石部８には、通常の川の流れでは動かない重さと形状を有する流水調整材１２例えば自然石、人工自然石等が載置され、該植石部８の勾配は底版部４の底面と同じ傾斜に形成してもよい。
【００２３】
後端壁の裏面側の越流部１０は、表面形状を緩やかな曲面形成されている。具体的には、下流側に向かって円弧状に形成した緩やかな曲面とし、傾斜1：0．2をもつ直線とで形成するのがよい。
【００２４】
第二実施例の第２魚道ブロック３は、図４〜図６のように、前記第１実施例の第1魚道用ブロック２におけるプール後壁７及び後端壁９をプール前壁５よりやや低く形成したものである。
【００２５】
第三実施例の第３魚道ブロック３１は、図７〜図９のように、前記第１実施例の第1魚道用ブロック２における後端壁９及びプール後壁７の川幅方向には、前記第２魚道用ブロック３に隣接する側の片側に傾斜面を形成したものである。
【００２６】
図６において、第１魚道用ブロック２、第３魚道用ブロック３１における植石部における底部８ａの深さは、同勾配で第２魚道用ブロック３に隣接して河幅方向に横配置した際に、前記第２魚道用ブロック３の後端壁の頂部からプール後壁の頂部とを結んだ高さとほぼ同一高さに形成されている。具体的には、第２魚道用ブロック３に直径５０ｃｍ程度の大きさの流水調整材１２を載置可能な深さにするのがよい。
上記構成により、通常の水位の場合は、第1魚道ブロックは主に各段で魚の休息場所となるプール部を形成できる。また、水量の多い場合には魚の遡上経路にもなることができる。
【００２７】
他方、渇水期の場合は、第２魚道ブロックが主流を形成して魚の遡上経路となる。また、第２魚道ブロックの後端壁の高さは第1魚道用ブロックと第３魚道用ブロックの後端壁より低く形成されているため、流れてくる土砂は流水調整材と流水調整材の間から流下する。そのため土砂が溜まりにくい構造となり、河川の維持管理が容易に出来る。
また、第1〜３の魚道用ブロック２、３、３１の幅方向の連結は、ボルトを埋め込んだ切欠４ａを設けて所定の連結金具（図示省略）により連結される。
【００２８】
次に、魚道施工工法における一実施例を図示した、図１０〜図１３を参照して魚道用ブロックを使用した魚道施工工法を説明する。このうち、図１０は施工時の正面図、図１１、図１２は施工時の側面図、図１３は施工時の平面図である。
図1１、図１2に図示したように、下流から上流に向かう河川の川床１９の上流から下流に向かって、上流側は切欠部１１に密に組み付き接合可能な前側凸部１４と、下流側はプール前壁５の天端と面一の天端を有する後側凸部１５間に、中間プール部１６を設けた中間プールブロック１３を配置されている。
該中間プールブロック１３間の川床を所定勾配で基礎コンクリート１８を敷設した後、該基礎コンクリート１８上に、請求項１項の第１魚道用ブロック２、請求項２項の第２魚道用ブロック３、請求項３項の第３魚道用ブロック３の各列における切欠部１１内にプール前壁５を組み付け、さらに、最上部には天端間詰コンクリート２１を、最下部には根止めコンクリート２０を配置して階段式に施工されている。
【００２９】
図１３に図示したように、河幅方向においては、例えば川床中央部には第２魚道用ブロック３を配置し、該第２魚道用ブロック２の両側に隣接して第３魚道用ブロック３１を配置し、該第３魚道用ブロック３１に隣接させて外側に第1魚道ブロック２を配置して施工されている。なお、第２魚道用ブロック３は川床中央部に配置が限定されるものではない。
なお、河幅が狭く、第２魚道用ブロック３とその片側に１個の第３魚道用ブロック３１を配置する幅しかない面積の場所では、第２魚道用ブロック３とその片側に１個の第３魚道用ブロック３１を配置し、該第３魚道用ブロック３１に隣接させて外側に第1魚道ブロック２を配置して施工されている。
【図面の簡単な説明】
【００３０】
【図１】本発明の、第一実施例の第１魚道用ブロックの斜視図。
【図２】本発明の、第一実施例の第１魚道用ブロックの平面図。
【図３】本発明の、第一実施例の第１魚道用ブロックの左側面図。
【図４】本発明の、第二実施例の第２魚道用ブロックの斜視図。
【図５】本発明の、第二実施例の第２魚道用ブロックの平面図。
【図６】本発明の、第二実施例の第２魚道用ブロックの左側面図。
【図７】本発明の、第三実施例の第３魚道用ブロックの斜視図。
【図８】本発明の、第三実施例の傾斜面を図７の場合とは反対側に形成した別の第３魚道用ブロックの斜視図。
【図９】本発明の、第2魚道用ブロックに隣接して第3魚道用ブロックを配置した時の斜視図。
【図１０】魚道用ブロックを使用した魚道施工時の正面図。
【図１１】魚道用ブロックを使用した魚道施工時の一部側面図。
【図１２】魚道用ブロックを使用した魚道施工時の側面図。
【図１３】魚道用ブロックを使用した魚道施工時の平面図。
【図１４】第２魚道用ブロックの植石部に、小さい流速調整材を配置したときの隣接配列された第１又は第３魚道用ブロックの関係説明図。
【符号の説明】
【００３１】
１    魚道構造
２    第1魚道ブロック
３    第２魚道ブロック
３１  第３魚道ブロック
３２  傾斜面
４    底版部
５    プール前壁
６    プール部
７    プール後壁
８    植石部
８ａ  低部
９    後端壁
１０  越流部
１１  切欠部
１２  流水調整材（自然石等）
１３    中間プールブロック
１４    前側凸部
１５    後側凸部
１６    中間プール部
１７    河川の水の流れ
１８    基礎コンクリート
１９    川床
２０    根止めコンクリート
２１    天端間詰コンクリート
【図１】
2006063656.tif 000003
【図２】
2006063656.tif 000004
【図３】
2006063656.tif 000005
【図４】
2006063656.tif 000006
【図５】
2006063656.tif 000007
【図６】
2006063656.tif 000008
【図７】
2006063656.tif 000009
【図８】
2006063656.tif 000010
【図９】
2006063656.tif 000011
【図１０】
2006063656.tif 000012
【図１１】
2006063656.tif 000013
【図１２】
2006063656.tif 000014
【図１３】
2006063656.tif 000015
【図１４】
2006063656.tif 000016